(57)【特許請求の範囲】
【請求項１】
建物内に設置された複数の排水設備からの排水枝管が、建物の床下にて集合されて排水管により建物の外周基礎を貫通して外側に導出され、建物の外周基礎の外側の排水桝に接続されている住宅用排水システムであって、上記建物の外周基礎を貫通する手前側に位置している排水管の下流側端部のみが床下地面に設けられた溝に設置されていることを特徴とする住宅用排水システム。
【請求項２】
建物の床下にて、排水主管が建物の外周基礎の内側に沿って配管され、この排水主管の所定位置にて、建物内に設置された各種排水設備に接続されている排水枝管の流出側端部が継手により接続され、上記排水主管の下流側端部が建物の外周基礎を貫通して外側に導出され、建物の外周基礎の外側地中に埋設された排水桝の流入側接続部と接続されている住宅用排水システムであって、上記建物の外周基礎を貫通する手前側に位置している排水管の下流側端部のみが床下地面に設けられた溝内に設置されていることを特徴とする住宅用排水システム。
【請求項３】
建物の外周基礎の内側に、複数の流入側接続部と１個の流出側接続部を有するヘッダー継手が配置され、このヘッダー継手の各流入側接続部に、建物内に設置された各種排水設備に接続されている排水枝管の流出側端部が接続されるとともに、ヘッダー継手の流出側接続部と接続されている排水主管の下流側端部が建物の外周基礎を貫通して外側に導出され、建物の外周基礎の外側地中に埋設された排水桝の流入側接続部と接続され、この排水桝の流出側接続部と接続されている排水主管の下流側端部が公共桝の流入側接続部と接続されている住宅用排水システムであって、上記建物の外周基礎を貫通する手前側に位置している排水主管の下流側端部のみが床下地面に設けられた溝内に設置されていることを特徴とする住宅用排水システム。
【請求項４】
建物の床下に、複数の流入側接続部と１個の流出側接続部を有する集水桝継手が配置され、この集水桝継手の各流入側接続部に、建物内に設置された各種排水設備に接続されている排水枝管の流出側端部が接続されるとともに、集水桝継手の流出側接続部と接続されている排水主管の下流側端部が建物の外周基礎を貫通して外側に導出され、建物の外周基礎の外側地中に埋設された排水桝の流入側接続部と接続され、この排水桝の流出側接続部と接続されている排水主管の下流側端部が公共桝の流入側接続部と接続されている住宅用排水システムであって、上記建物の外周基礎を貫通する手前側に位置している排水主管の下流側端部のみが床下地面に設けられた溝内に設置されていることを特徴とする住宅用排水システム。
【発明の詳細な説明】
【０００１】
【発明の属する技術分野】
この発明は、住宅用排水システムに関する。
【０００２】
【従来の技術】
従来、アパートなどの小規模集合住宅や個人用住宅では、図２８に示すような排水システムを採用している。すなわち、建物２内に設置されたトイレ２１，洗面所２２，洗濯機２３，浴室２４，台所２５などの水を使用する各種排水設備にて発生した排水は、それぞれの排水設備に接続された各排水枝管５１を通じて建物２の外側に埋設された各排水桝６，６…に流れ込み、この排水桝６，６…間を接続している宅地１内の排水管路３を通じて公共桝７に流れ込むようになっている。この公共桝７に流れ込んだ排水は、この公共桝７が接続されている公道下に埋設された下水本管へ排水されようになっている。
【０００３】
ところで、上記従来の排水システムの場合、宅地１内の排水管路３は建物２の基礎４の外側に埋設配管されており、この排水管路３の曲がり部や合流部に各種タイプの排水桝６，６…が設置されるようになっている。この排水桝６としては、たとえばポリプロピレン樹脂製のものや硬質塩化ビニル樹脂製のものが用いられている。これらの排水桝６の立ち上がり部の開口の口径は、一般的には、ポリプロピレン樹脂製のものでは約３００ｍｍ、一方、硬質塩化ビニル樹脂製のものでは約１５０〜２００ｍｍである。
【０００４】
【発明が解決しようとする課題】
このように、従来の排水システムでは、建物２の外郭と宅地１の境界との間に、建物２の外郭に沿って排水管路３を埋設配管するとともに、この排水管路３の途中に、各種排水設備２１〜２５に接続したそれぞれの排水枝管５１の端部が接続される排水桝６，６…を設置するための空間が必要である。このため、宅地１内の配管経路が長く、しかも、埋設配管のため、掘削工事費が高く、配管の点検作業が困難でやりにくい。起点、合流点、屈曲点等に排水桝６，６…を設置するため、材料費、施工費が高く、点検作業する箇所が多い。排水管路３や排水桝６が破損した場合、取り替え作業が困難である。宅地１の狭小化によって、排水桝６，６…の設置が困難になってくる等の問題があった。
【０００５】
このような問題を解消する住宅用排水システムの技術として、特開平１０−３３１２２１号公報において、住宅用排水配管装置が提案されている。この住宅用排水配管装置は、建物の床下に配管され、建物内の各排水設備にそれぞれ接続した排水枝管と、建物の外方に建物の外郭に沿って宅地内に配管され、前記排水枝管を接続する流入枝管口を有する排水桝を接続した排水主管とを備えている。そして、前記各排水桝を一箇所に集中して設けている。すなわち、前記各排水枝管は、ほぼ同一方向に向けて建物の基礎の外側に導出して前記集中設置された排水桝の流入枝管口に接続している。
【０００６】
しかしながら、上記特開平１０−３３１２２１号公報に提案の技術の場合は、各排水設備に接続された各排水枝管のそれぞれを建物の基礎の一箇所に集中して貫通させて排水桝の流入枝管口と接続させなければならない。このため、建物の基礎が局部的に強度低下を生じたり、あるいは、貫通部の水密処理に手間を要するという問題があった。また、各排水枝管の端部と排水桝の流入枝管口との接続作業もこれらが集中しているために工数を要するという問題があった。
【０００７】
本発明の目的は、点検などが容易で、狭小な宅地であっても、排水桝の設置ができ、宅地を有効に活用できる住宅用排水システムを提供することである。
【０００８】
更に、本発明の目的は、上述の従来技術の問題点を解消し、建物の基礎に強度低下がなく、配管施工が容易で費用もかからない住宅用排水システムを提供することである。
【０００９】
【課題を解決するための手段】
請求項１記載の本発明は、建物内に設置された複数の排水設備からの排水枝管が、建物の床下にて集合されて排水管により建物の外周基礎を貫通して外側に導出され、建物の外周基礎の外側の排水桝に接続されている住宅用排水システムであって、上記建物の外周基礎を貫通する手前側に位置している排水管の下流側端部のみが床下地面に設けられた溝に設置されていることを特徴とする住宅用排水システムである。
【００１０】
請求項２記載の本発明は、建物の床下にて、排水主管が建物の外周基礎の内側に沿って配管され、この排水主管の所定位置にて、建物内に設置された各種排水設備に接続されている排水枝管の流出側端部が継手により接続され、上記排水主管の下流側端部が建物の外周基礎を貫通して外側に導出され、建物の外周基礎の外側地中に埋設された排水桝の流入側接続部と接続されている住宅用排水システムであって、上記建物の外周基礎を貫通する手前側に位置している排水管の下流側端部のみが床下地面に設けられた溝内に設置されていることを特徴とする住宅用排水システムである。
【００１１】
請求項３記載の本発明は、建物の外周基礎の内側に、複数の流入側接続部と１個の流出側接続部を有するヘッダー継手が配置され、このヘッダー継手の各流入側接続部に、建物内に設置された各種排水設備に接続されている排水枝管の流出側端部が接続されるとともに、ヘッダー継手の流出側接続部と接続されている排水主管の下流側端部が建物の外周基礎を貫通して外側に導出され、建物の外周基礎の外側地中に埋設された排水桝の流入側接続部と接続され、この排水桝の流出側接続部と接続されている排水主管の下流側端部が公共桝の流入側接続部と接続されている住宅用排水システムであって、上記建物の外周基礎を貫通する手前側に位置している排水主管の下流側端部のみが床下地面に設けられた溝内に設置されていることを特徴とする住宅用排水システムである。
【００１２】
請求項４記載の本発明は、建物の床下に、複数の流入側接続部と１個の流出側接続部を有する集水桝継手が配置され、この集水桝継手の各流入側接続部に、建物内に設置された各種排水設備に接続されている排水枝管の流出側端部が接続されるとともに、集水桝継手の流出側接続部と接続されている排水主管の下流側端部が建物の外周基礎を貫通して外側に導出され、建物の外周基礎の外側地中に埋設された排水桝の流入側接続部と接続され、この排水桝の流出側接続部と接続されている排水主管の下流側端部が公共桝の流入側接続部と接続されている住宅用排水システムであって、上記建物の外周基礎を貫通する手前側に位置している排水主管の下流側端部のみが床下地面に設けられた溝内に設置されていることを特徴とする住宅用排水システムである。
【００１３】
本発明において排水設備とは、建物内に設置されて水を排出する設備のことであり、例えばトイレ，洗面所，洗濯機，浴室，台所などがある。
【００１４】
本発明において排水管、排水枝管、排水主管としては、硬質塩化ビニル樹脂、ポリプロピレン、ポリエチレンなどの合成樹脂管や、鋼管やコンクリート管の内面に上記合成樹脂管を被覆したものなどの複合管、ステンレス鋼管などが使用できる。特に点検の容易な透明な管が形成できる合成樹脂管が好ましい。
【００１５】
本発明において継手としては、配管同士を接続するものであり、９０度エルボ継手、９０度大曲りＹ継手などの分岐継手などの通常の継手の他、ヘッダー継手、集水桝継手なども使用できる。継手の材料としては、上記の合成樹脂などの材料が使用できる。
【００１６】
本発明において床下地面に設けられた溝としては、排水管や継手などを設置するためのものであり、凹溝、Ｕ字形溝、溝状の穴、ピット、窪みなどがある。
【００１７】
【作用】
請求項１記載の住宅用排水システムは、建物内に設置された複数の排水設備からの排水枝管を、建物の床下にて集合して排水管により建物の外周基礎の外側に導出するから、排水経路の大部分が建物の床下に配管されることになり、これらが建物の床と外周基礎とに覆われるので、埋設配管する必要がなく、床下に露出配管が可能になる。このため、埋設工事を大幅削減できる。床下の配管の維持管理（点検、清掃）が容易になる。配管の更新も容易である。配管への勾配の形成も容易である。また、建物の外周基礎の外側に導出される排水管の数も少なくなり、外周基礎の強度の低下がない。
【００１８】
しかも、上記複数の排水枝管の排水を集合した排水管を建物の外周基礎の外側の排水桝に接続するから、建物の外周基礎の外側の排水桝の数が少なくてすみ、材料費、施工費が安くなり、点検作業する箇所が少なくなり、狭小な宅地であっても排水配管が可能になる。
【００１９】
また、上記建物の外周基礎を貫通する手前側に位置している排水管の下流側端部のみが床下地面に設けられた溝に設置されているから、上記床下での露出配管の利点を維持したまま、更に床下空間の高低差が取れて排水勾配の形成が容易になる。特に、２系統以上の管路が縦横に交差して従来では配管できない場合でも配管が可能となる。
【００２０】
請求項２記載の住宅用排水システムは、建物の床下にて、排水主管が建物の外周基礎の内側に沿って配管され、この排水主管の所定位置にて、建物内の各種排水設備の排水枝管の流出側端部が継手により接続され、上記排水主管の下流側端部のみが床下地面の溝内に設置され、排水主管の端部が建物の外周基礎の外側地中に埋設された排水桝と接続されているから、上記請求項１の作用に加えて、建物の外周基礎に形成する貫通孔が少なくて済み、建物の外周基礎の強度低下が生じない。
【００２１】
また、排水主管は建物の外周基礎の内側に沿って建物の床下に配管されているので、掘削工事などの土工費用を削減できる。そして、排水主管が露出配管されていることで、排水主管の部分的補修を、たとえばやり取り継手などを用いて容易に行うことができる。しかも、建物の外周基礎の外側の宅地内に埋設する排水桝は一つでも済むので、材料費や施工費を削減できる。さらに、従来のように、建物の外周基礎の外側の宅地内に排水主管や多数の排水桝を埋設する必要がないので、狭小な宅地であっても、宅地を有効に活用できる。
【００２２】
請求項３記載の住宅用排水システムは、建物の外周基礎の内側に、複数の流入側接続部と１個の流出側接続部を有するヘッダー継手が配置され、このヘッダー継手の各流入側接続部に、建物内の各種排水設備に接続されている排水枝管の流出側端部が接続されるとともに、ヘッダー継手の流出側接続部と接続されている排水主管の下流側端部のみが床下地面の溝内に設置され、排水主管の端部が建物の外周基礎の外側地中に埋設された排水桝と接続され、この排水桝に接続されている排水主管の下流側端部が公共桝に接続されているから、上記請求項１の作用に加えて、建物の外周基礎に形成する貫通孔が少なくて済み、建物の外周基礎の強度低下が生じない。
【００２３】
また、排水主管は建物の床下に露出配管されているので、掘削工事などの土工費用を削減できるとともに、排水主管とヘッダー継手の部分的補修を、たとえばやり取り継手などを用いて容易に行うことができる。しかも、建物の外周基礎の外側の宅地内に埋設する排水桝は一つでも済むので、材料費や施工費を削減できる。
【００２４】
さらに、建物内の各種排水設備に接続されている排水枝管の流出側端部を、ヘッダー継手の各流入側接続部と接続することで、各種排水設備との間の配管接続を行えるので、配管工事費用を削減することができる。また、ヘッダー継手の設置場所が決まることによって、配管ルートが明確になり、プレハブ配管が可能となる。その結果、配管作業者の能力による施工品質の誤差が解消されて、良好な品質の施工ができる。
【００２５】
また、従来のように、建物の外周基礎の外側の宅地内に排水主管や多数の排水桝を埋設する必要がないので、狭小な宅地であっても、宅地を有効に活用できる。
【００２６】
請求項４記載の住宅用排水システムは、建物の床下に、複数の流入側接続部と１個の流出側接続部を有する集水桝継手が配置され、この集水桝継手の各流入側接続部に、建物内の各種排水設備に接続されている排水枝管の流出側端部が接続されるとともに、集水桝継手の流出側接続部と接続されている排水主管の下流側端部のみが床下地面の溝内に設置され、排水主管の端部が建物の外周基礎の外側地中に埋設された排水桝と接続され、この排水桝の流出側接続部に接続されている排水主管が公共桝に接続されているから、上記請求項１の作用に加えて、建物の外周基礎に形成する貫通孔が少なくて済み、建物の外周基礎の強度低下が生じない。
【００２７】
また、排水主管の大部分は建物の床下に配管されているので、掘削工事などの土工費用を削減できる。そして、排水主管と集水桝継手が建物の床下に露出配管されていることで、排水主管の部分的補修を、たとえばやり取り継手などを用いて容易に行うことができる。しかも、建物の外周基礎の外側の宅地内に埋設する排水桝は一つでも済むので、材料費や施工費を削減できる。
【００２８】
さらに、建物内の各種排水設備に接続されている排水枝管の流出側端部を、集水桝継手の各流入側接続部と接続することで、各種排水設備との間の配管接続を行えるので、配管工事費用を削減することができる。また、集水桝継手の設置場所が決まることによって、配管ルートが明確になり、プレハブ配管が可能となる。その結果、配管作業者の能力による施工品質の誤差が解消されて、良好な品質の施工ができる。
【００２９】
また、従来のように、建物の外周基礎の外側の宅地内に排水主管や多数の排水桝を埋設する必要がないので、狭小な宅地であっても、宅地を有効に活用できる。
【００３０】
【発明の実施の形態】
以下、本発明の実施の形態について図面を参照しながら詳細に説明する。
（第１実施例）
図１は本発明の住宅用排水システムの第１実施例を示す模式説明図、図２は図１の要部を示す横断面図、図３は図２における排水主管の支持構造を示す縦断面図である。図５は継手の配管位置固定手段を示す断面図である。図６及び図７は建物の外周基礎から外側への排水管の導出部の断面図である。図８から図１０は排水管の点検部を示す断面図である。図１１及び図１２は排水管の点検部の他の例を示す斜視図である。図１３から図１５は第１実施例の変形例の図である。
【００３１】
図１において、宅地１に建物２が建てられている。この第１実施例の住宅用排水システムは、この建物２内に設置された複数の排水設備（２１〜２５）からの排水枝管５１、５１…が、建物２の床下にて集合されて排水主管（排水管）３により建物２の外周基礎４の外側に導出され、建物２の外周基礎４の外側の排水桝６に接続されている。そして、上記排水主管（排水管）３の下流側は床下地面に設けられた溝４６１内に設置されている。
【００３２】
排水枝管５１、５１…と排水主管３とは継手３１、３１…を介して接続されており、この継手３１、３１…に配管位置固定手段３１２が設けられている。
【００３３】
詳細には、図２に示すように、建物２の床下において、硬質塩化ビニル樹脂製の排水主管３が建物２の長辺側および短辺側の外周基礎４の内側に沿ってほぼＬ字状に配管されている。この排水主管３は、４箇所の内側基礎４１に設けられた各孔を貫通して配管されている。そして、排水主管３の所定位置に配管接続されている各９０度大曲りＹ継手３１の分岐流入側の受け口３１１に、建物２内に設置されているトイレ２１，洗面所２２，洗濯機２３，浴室２４，台所２５などの排水設備に接続されている各排水枝管５１、５１…の流出側端部が接続されている。
【００３４】
排水主管３は、図３に示すように、外周基礎４の内面に固定された複数の金属製受け板４２にて支持されるとともに、締め付けバンド４３にて固定されている。図３において、４４は床板面材、４５は根太、４６は防湿コンクリートあるいは盛土である。なお、排水主管３の支持・固定は、図４の（ａ）に示すように、床板面材４４の裏面側に存在している根太４５を利用し、この根太４５の下面に締め付けバンド４３にて固定するようにしてもよい。また、図４の（ｂ）に示すように、外周基礎４の内側に形成した防湿コンクリート４６を利用し、このコンクリート４６面上に締め付けバンド４３にて支持・固定するようにしてもよい。
【００３５】
排水枝管５１、排水主管３を接続している継手３１は、図５の（ａ）に示すように、その下部に固定プレートからなる配管位置固定手段３１２が設けられており、外周基礎４の内面に固定された複数の金属製受け板４２に、ボルトと２重ナットなどにより、位置調整可能に支持固定されている。なお、継手３１の固定は、図５の（ｂ）に示すように、床下地面の防湿コンクリート４６の上に受け台４２１を設け、これに位置調整可能に支持固定してもよい。
【００３６】
排水主管３の下流側は、図２に示すように、床下地面に設けた溝４６１内に設置して、排水勾配を取るようにしている。排水主管２下流側の先端には、９０度エルボ継手３２の一端が接続され、このエルボ継手３２の他端に接続された短管３３の一端が建物２の外周基礎４の孔４ａを貫通して屋外に突出されている。
【００３７】
このエルボ継手３２の下部にも、図６に示すように、固定プレートからなる配管位置固定手段３１２が設けられており、溝４６１の底部に位置調整可能に支持固定されている。そして、上記の短管３３の他端と、建物２の外周基礎４の外側地中に埋設された排水桝６の流入側受け口６１との間が、９０度大曲りＹ継手３４，短管３５および９０度エルボ継手３６を介して接続されている。９０度大曲りＹ継手３４の上端受け口３４１内には栓体３４２が着脱自在に装着されている。
【００３８】
地表面に露出している９０度大曲りＹ継手３４は配管カバー３４ａにて覆われて保護されている。排水桝６の流出側受け口６２には排水管３Ａの一端部が接続され、この排水管３Ａの他端部が公共桝７の流入側接続部と接続されている。排水桝６の上端受け口６３には短管６４の下端が接続され、この短管６４の上端に掃除口用の蓋６５が着脱自在に装着されている。
【００３９】
一方、排水主管３の上流側端部には、図２に示すように、９０度エルボ継手３７の一端が接続され、このエルボ継手３７の他端開口内に栓体３７１が着脱自在に装着されることで掃除口とされている。エルボ継手３７はその開口端が建物２の外周基礎４内面と相対峙するように配管接続され、この開口端に対応した外周基礎４には内外方向に貫通した点検孔４ｂが設けられている。この孔４ｂを通じてエルボ継手３７の他端開口内に装着されている栓体３７１を外すことで、長片側の外周基礎４に沿って配管された排水主管３内の掃除を行えるようになっている。この点検孔４ｂは床下の換気孔の機能も有している。
【００４０】
図２に示すように、排水主管３のＬ字の曲がり部には９０度大曲りＹ継手３８が接続され、このＹ継手３８の受け口３８１開口端内に栓体３８２が着脱自在に装着されて掃除口とされている。この栓体の内部形状は曲面になされており、Ｙ継手３８内にスムーズな流路が形成されるようになされている。Ｙ継手３８の掃除口と相対峙している外周基礎４には、図２および図８に示すように、内外方向に貫通した点検孔４ｃが設けられている。この点検孔４ｃの大きさは栓体３８２よりも大きくされており、点検孔４ｃを通じてＹ継手３８の受け口３８１内に装着されている栓体３８２を外すことで、短片側の外周基礎４に沿って配管された排水主管３内の掃除を行えるようになっている。この点検孔４ｃも床下の換気孔の機能も有している。
【００４１】
なお、図２の実施例では、排水主管３として、灰色に着色した不透明な硬質塩化ビニル樹脂管を用いたが、排水主管３としてたとえば透明な硬質塩化ビニル樹脂管を用いることも可能である。排水主管３を透明なものとすることによって、排水管路内の点検を外部から目視にて行うことが可能となり、排水管路の点検作業を作業性よく簡単に行える。
【００４２】
その際、トイレ２１，洗面所２２，洗濯機２３，浴室２４，台所２５などの排水設備に接続されている各排水枝管５１も透明な硬質塩化ビニル樹脂管としてもよい。また、排水主管３および各排水枝管５１を不透明なものとし、この排水主管３と各排水枝管５１と接続している各９０度大曲りＹ継手３１や曲がり部の９０度大曲りＹ継手３８を透明な硬質塩化ビニル樹脂製のものとしてもよい。
【００４３】
また、上記図２の実施例では、掃除口を有している９０度大曲りＹ継手３４を建物２の外周基礎４の外側に露出させて配管接続したが、図７に示すように、外周基礎４の内側に形成した防湿コンクリート４６の一部に窪み部からなる溝４６１を形成し、この溝４６１を利用して、９０度大曲りＹ継手３４を建物２の外周基礎４の内側に配管接続するようにしてもよい。なお、図７において、図６と同一部材については同一符号を付している。
【００４４】
さらに、上記図２の実施例では、掃除口を有する９０度エルボ継手３７の一端を排水主管３の上流側端部に存在している９０度大曲りＹ継手３１の受け口に接続するとともに、外周基礎４に点検孔４ｂを設けることで、この点検孔４ｂを通じて、長辺側の外周基礎４に沿って配管した排水主管３内の掃除をできるようにしたが、この９０度エルボ継手３７を接続することなく、図９に示すように、排水主管３の上流側端部に接続している９０度大曲りＹ継手３１の受け口３１２内に栓体３１３を着脱自在に装着して掃除口としてもよい。その際、栓体３１３の内面形状は、９０度大曲りＹ継手３１内にスムーズな流路が形成されるように、曲面にするのが望ましい。
【００４５】
このようにすることで、外周基礎４に点検孔４ｂを設けることなく、床下に作業者が入り込むか、あるいは、床板面材４４に設けた開口部（図示せず）を利用して排水主管３内の点検や掃除を行える。開口部としては、床板面材４４に点検口を設けてもよいが、床下収納庫用の開口部も利用できる。
【００４６】
また、図１０に示すように、９０度エルボ継手３７の他端受け口を上方に立ち上げて９０度大曲りＹ継手３１と接続し、床板面材４４に設けた開口部４４１を利用して、９０度エルボ継手３７の他端受け口に装着した栓体３７１を外すことで、排水主管３内の点検や掃除を行えるようにしてもよい。
【００４７】
また、上記図２の実施例では、排水主管３の曲がり部に接続した９０度大曲りＹ継手３８の受け口３８１に栓体３８２を装着して掃除口とし、かつ、この掃除口と相対峙している外周基礎４に点検孔４ｃを設け、この点検孔４ｃを通じて栓体３８２を外すことで、短片側の外周基礎４に沿って配管した排水主管３内の点検や掃除をできるようにしたが、この９０度大曲りＹ継手３８の代わりに、図１１（ａ）に示すように、９０度大曲りエルボ本体のほぼ中央に点検口３８１を立設し、この点検口３８１内に栓体３８２を着脱自在に装着した三方管継手３８ａを用いてもよい。
【００４８】
このようにすることで、外周基礎４に孔４ｃを設けることなく、床下に作業者が入り込むか、あるいは、床面に設けた開口部（図示せず）を利用して排水主管３内の点検や掃除を行える。
【００４９】
また、図１１（ｂ）に示すように、排水主管３と、排水設備に接続して各排水枝管５１の流出側端部とを接続している９０度大曲りＹ継手の主管部のほぼ中央に点検口３１４を立設し、この点検口３１４内に栓体３１３を着脱自在に装着した四方管継手３１ａを用いてもよい。このようにすることで、外周基礎４に点検孔４ｂ，４ｃを設ける必要がなく、床下に作業者が入り込むか、あるいは、点検口３１４に対応した床板面材４４に設けた開口部（図示せず）を利用して排水主管３内の点検や掃除を行える。
【００５０】
あるいは、上記９０度大曲りＹ継手３８と併用して、図１２（ａ），（ｂ）に示すような三方管継手３ｂ，３ｃを排水主管３の途中に配管接続することで、上記と同様に、外周基礎４に点検孔４ｂ，４ｃを設けることなく、床下に作業者が入り込むか、あるいは、点検口３１４に対応した床板面材４４に設けた開口部（図示せず）を利用して排水主管３内の点検や掃除を行える。
【００５１】
図１３は本発明の住宅用排水システムの第１実施例の変形例を示す模式説明図、図１４及び図１５は図１３の配管状態を示す縦断面図である。この変形例では、建物２の床下のほぼ中央において、排水主管３を長辺側の外周基礎４にほぼ平行に直線状に配管した以外は、上記第１実施例とほぼ同一であるので、同一部分には同一符号を付して説明を省略する。
【００５２】
この場合、排水主管３は、図１４に示すように、外周基礎４の内側の防湿コンクリートあるいは盛土４６上に配管されている。そして、排水主管３の所定位置に配管接続されている各９０度大曲りＹ継手３１の分岐流入側の受け口に、建物２内に設置されているトイレ２１，洗面所２２，洗濯機２３，台所２５などの排水設備に接続されている各排水枝管５１の流出側端部が接続されている。継手３１には固定プレートからなる配管位置固定手段３１２が設けられており、防湿コンクリートあるいは盛土４６上に設けたコンクリートの受け台に固定されている。
【００５３】
なお、この場合、浴室２４に接続されている排水枝管５１の流出側端部は、この排水枝管５１を貫通させるための孔を内側基礎４１に設けなくて済むように、洗濯機２３に接続されている排水枝管５１と合流して接続されている。
【００５４】
排水主管３の下流側は、図１５に示すように、床下地面である防湿コンクリート４６に設けた溝４６１内に設置して、排水勾配を取っている。
【００５５】
この変形例の場合、排水主管３の配管に際して、内側基礎４１に排水主管３を貫通させるための孔を設けなくて済むので、配管作業がより簡単となる。
【００５６】
（第２実施例）
以下、本発明の第２実施例を図面を参照して説明する。第２実施例においてはヘッダー継手８を用いている。図１６は本発明の住宅用排水システムの第２実施例を示す模式説明図、図１７は図１６の要部を示す横断面図である。図１８はヘッダー継手を示す平面図である。図１９はヘッダー継手の設置状態を示す断面図である。図２０は第２実施例の変形例を示す断面図である。
【００５７】
図１６において、宅地１に建物２が建てられている。この第２実施例の住宅用排水システムは、この建物２内に設置された複数の排水設備（２１〜２５）からの排水枝管５１、５１…が、建物２の床下にてヘッダー継手８によって集合されて排水主管（排水管）３により建物２の外周基礎４の外側に導出され、建物２の外周基礎４の外側の排水桝６に接続されている。そして、上記排水主管（排水管）３の下流側は床下地面に設けられた溝４６１内に設置されている。
【００５８】
排水枝管５１、５１…と排水主管３とは一つのヘッダー継手８を介して接続されており、このヘッダー継手８に配管位置固定手段３１２が設けられている。
【００５９】
詳細には、図１７に示すように、建物２の床下において、外周基礎４の内側の防湿コンクリート（あるいは盛土）４６上にヘッダー継手８が配置されている。このヘッダー継手８は、建物２内に設置されているトイレ２１，洗面所２２，洗濯機２３，浴室２４，台所２５などの排水設備にて生じた排水を一箇所に集水して排水するための機能を有するものである。
【００６０】
ヘッダー継手８は硬質塩化ビニル樹脂製のものであり、図１７に示すように、５個の９０度大曲りＹ継手８ａを管軸方向に短管を介して接着されている。その際、隣接する９０度大曲りＹ継手８ａの分岐流入側の各受け口８１ａが互いに反対方向を向くように接続されている。なお、分岐流入側の受け口８１ａの口径は、Ｙ継手８ａの両端部の受け口８２ａの口径よりも小径とされている。ヘッダー継手８の上流側の受け口８２ａには蓋８４が着脱自在に装着されている。ヘッダー継手８の流入側および流出側の受け口８１ａ，８２ａの口径はそれぞれ５０ｍｍ、１５０ｍｍである。なお、ヘッダー継手８は灰色に着色した不透明なものである。ヘッダー継手８の下部には固定盤からなる配管位置固定手段が設けられており、防湿コンクリート（あるいは盛土）４６上に位置調整可能に固定されている。
【００６１】
ヘッダー継手８の分岐流入側の各受け口８１ａに、建物２内に設置されているトイレ２１，洗面所２２，洗濯機２３，浴室２４，台所２５などの排水設備に接続されている各排水枝管５１の流出側端部が接続されている。なお、トイレ２１および台所２５と接続されている２本の排水枝管５１は、図１７に示すように、内側基礎４１に設けられた孔４１ａを貫通して配管されている。
【００６２】
そして、ヘッダー継手８の流出側受け口８２ａに、９０度曲がり継手を介して、排水主管３の上流側端部が接続されている。この排水主管３の下流側は床下地面と防湿コンクリート（あるいは盛土）４６に形成した溝４６１内に設置して、排水勾配を取っている。排水主管３の下流側の端部は、建物２の外周基礎４の外側地中に埋設された排水桝６の流入側受け口６１と接続されている。この排水桝６の流出側受け口６２に排水主管３Ａが接続され、この排水主管３Ａの下流側端部が公共桝７の流入側受け口と接続されている。この公共桝７を通じて建物２内の各排水設備２１〜２５にて生じた排水が下水道本管（図示せず）に排水されるようになっている。なお、排水主管３，３Ａはともに口径１５０ｍｍの灰色に着色した不透明な硬質塩化ビニル樹脂製のものである。
【００６３】
外周基礎４の孔４ａを貫通して屋外に突出されている排水主管３の下流側先端と、建物２の外周基礎４の外側地中に埋設された排水桝６の流入側受け口６１との間は、前記第１実施例の図６に示したのと同様に、９０度大曲りＹ継手３４，短管３５および９０度エルボ継手３６を介して接続してもよい。
【００６４】
このようにすることで、床下に作業者が入り込むか、あるいは、床面に設けた開口部（図示せず）を利用して排水主管３内の点検や掃除を行える。
【００６５】
なお、図１７の実施例では、排水主管３として、灰色に着色した不透明な硬質塩化ビニル樹脂管を用いたが、排水主管３としてたとえば透明な硬質塩化ビニル樹脂管を用いることも可能である。排水主管３を透明なものとすることによって、排水管路内の点検を外部から目視にて行うことが可能となり、排水管路の点検作業を効率よく簡単に行える。
【００６６】
同様に、ヘッダー継手８を透明な合成樹脂製のものとすることで、ヘッダー継手８内の点検を外部から目視にて行うことが可能となり、ヘッダー継手８端部の掃除口を通じてヘッダー継手８内の掃除を行える。
【００６７】
その際、トイレ２１，洗面所２２，洗濯機２３，浴室２４，台所２５などの排水設備に接続されている各排水枝管５１も透明な硬質塩化ビニル樹脂管としてもよい。また、排水主管３と各排水枝管５１を不透明なものとし、ヘッダー継手８を透明なものとしてもよい。
【００６８】
また、前記図７に示すように、外周基礎４の内側に形成した防湿コンクリート４６の一部に窪み部からなる溝４６１を形成し、この溝４６１を利用して、９０度大曲りＹ継手３４を建物２の外周基礎４の内側に配管接続するようにしてもよい。
【００６９】
さらに、上記図１６の実施例では、複数の９０度大曲りＹ継手８ａを管軸方向に接続することでヘッダー継手８を構成したが、図１８の（ａ）〜（ｃ）に示すように、ヘッダー継手８そのものを一体化したものであってもよい。
【００７０】
図１８の（ａ）のヘッダー継手８Ａは、円筒状のヘッダー継手本体８１の上側壁部に、所定の間隔をおいて、５個の流入側の接続部８１ａを形成し、ヘッダー継手本体８１の一端開口を蓋体８３にて閉塞することで掃除口とするとともに、他端部を縮径して流出側の接続部８２ａとしたものである。ヘッダー継手８Ａの下部には固定プレートからなる配管位置固定手段３１２が設けられている。また、図１８の（ｂ）のヘッダー継手８Ｂは、ヘッダー継手本体８１の一端に掃除口を設ける代わりに、ヘッダー継手本体８１の側部に流入側の各接続部８１ａに対応した５個の円形の開口を形成し、各開口を蓋体８３にて閉塞することで掃除口としたものである。ヘッダー継手８Ｂの下部には固定プレートからなる配管位置固定手段３１２が設けられている。さらに、図１８の（ｃ）のヘッダー継手８Ｃは、ヘッダー継手本体８１の側部に５個の円形の開口を形成する代わりに、１個の横長矩形状の開口を形成し、この開口を横長矩形状の蓋体８３にて閉塞することで掃除口としたものである。ヘッダー継手８Ｃの下部には固定プレートからなる配管位置固定手段３１２が設けられている。なお、流入側の接続部８１ａは同一方向に突設されていても、あるいは互いに異なった方向に突設されていてもよい。
【００７１】
たとえば、図１８の（ａ）に示すタイプのヘッダー継手８Ａの場合、ヘッダー継手８Ａの支持方法としては、図１９に示すように、外周基礎４の内面に固定した金属製受け板４２に配管位置固定手段３１２を固定して、位置調整可能に支持固定するようにしてもよい。
【００７２】
図２０は本発明の住宅用排水システムの第２実施例の変形例の要部を示す拡大説明図である。この第２実施例の変形例では、図に示すように、トイレ２１に接続されている排水枝管５１の下流側端部を建物２の長辺側の外周基礎４を貫通して屋外に突出させ、この排水枝管５１の下流側端部を、排水桝６Ａに接続している。すなわち、排水桝６の流出側受け口６２と公共桝の流入側接続部との間を接続している排水主管３Ａの途中に接続した９０度合流タイプの排水桝６Ａの分岐流入側の受け口６３Ａに、上記排水枝管５１の下流側端部を接続している。これ以外は、上記第２実施例とほぼ同一であるので、同一部分には同一符号を付して説明を省略する。
【００７３】
この第２実施例の変形例の場合、トイレ２１と接続している排水枝管５１の下流側端部を、排水桝６Ａの分岐流入側の受け口６３Ａと接続しているので、汚物などを含んだトイレの汚水は別系統にて排水主管３Ａに排水されることになり、ヘッダー継手８内に流れ込むトイレ２１以外の各排水設備２２〜２５からの排水の排水特性はなんら影響を受けない。
【００７４】
（第３実施例）
以下、本発明の第３実施例を図面を参照して説明する。第３実施例においては集水桝継手９を用いている。図２１は本発明の住宅用排水システムの第３実施例を示す模式説明図、図２２は図２１の要部を示す横断面図である。図２３及び図２４は集水桝継手の説明図である。図２５から図２７は第３実施例の変形例を示す説明図である。
【００７５】
図２１において、宅地１に建物２が建てられている。この第３実施例の住宅用排水システムは、この建物２内に設置された複数の排水設備（２１〜２５）からの排水枝管５１、５１…が、建物２の床下にて集水桝継手９によって集合されて排水主管（排水管）３により建物２の外周基礎４の外側に導出され、建物２の外周基礎４の外側の排水桝６に接続されている。そして、上記排水主管（排水管）３の下流側は床下地面に設けられた溝４６１内に設置されている。
【００７６】
排水枝管５１、５１…と排水主管３とは一つの集水桝継手９を介して接続されており、この集水桝継手９に配管位置固定手段３１２が設けられている。
【００７７】
詳細には、図２２に示すように、建物２の床下において、外周基礎４の内側の防湿コンクリートあるいは盛土４６上に集水桝継手９が配置されている。この集水桝継手９は硬質塩化ビニル樹脂製のものであり、図２３に示すように、有底円筒状のます本体９１の壁部に５個の流入側受け口９２と１個の流出側受け口９３とが一体に突設され、ます本体９１の上端開口には蓋９４が着脱自在に装着されている。集水桝継手９の流入側および流出側の受け口９２，９３の口径はそれぞれ５０ｍｍ、１００ｍｍである。集水桝継手９は、その下部に設けられた固定盤からなる配管位置固定手段３１２によって位置調整可能に防湿コンクリート或いは盛土４６上に設けた受け台に支持固定されている。集水桝継手９の各受け口９２に、建物２内に設置されているトイレ２１，洗面所２２，洗濯機２３，浴室２４，台所２５などの排水設備に接続されている各排水枝管５１の流出側端部が接続されている。なお、トイレ２１および台所２５と接続されている２本の排水枝管５１は、図２２に示すように、内側基礎４１に設けられた孔４１ａを貫通して配管されている。
【００７８】
そして、集水桝継手９の流出側受け口９２に排水主管３の上流側端部が接続されている。この排水主管３の下流側は床下地面と防湿コンクリート（あるいは盛土）４６に形成した溝４６１内に設置して、排水勾配を取っている。排水主管３の下流側の端部は、建物２の外周基礎４の外側地中に埋設された排水桝６の流入側受け口６１と接続され、この排水桝６の流出側受け口６２に排水主管３Ａが接続され、この排水主管３Ａの下流側端部が公共桝７の流入側受け口と接続され、この公共桝７を通じて建物２内の各排水設備２１〜２５にて生じた排水が下水道本管（図示せず）に排水されるようになっている。なお、排水主管３は口径１５０ｍｍの透明な硬質塩化ビニル樹脂製のものである。
【００７９】
外周基礎４の孔４ａを貫通して屋外に突出されている排水主管３の下流側先端と、建物２の外周基礎４の外側地中に埋設された排水桝６の流入側受け口６１との間は、前記図６に示すのと同様にして、９０度大曲りＹ継手３４，短管３５および９０度エルボ継手３６を介して接続されている。９０度大曲りＹ継手３４の上端受け口３４１内には栓体３４２が着脱自在に装着されている。
【００８０】
このようにすることで、床下に作業者が入り込むか、あるいは、床面に設けた開口部（図示せず）を利用して排水主管３内の点検や掃除を行える。
【００８１】
図２２の実施例では、排水主管３として、透明な硬質塩化ビニル樹脂管を用いたから、排水管路内の点検を外部から目視にて行うことが可能となり、排水管路の点検作業を効率よく簡単に行える。
【００８２】
また、トイレ２１，洗面所２２，洗濯機２３，浴室２４，台所２５などの排水設備に接続されている各排水枝管５１も透明な硬質塩化ビニル樹脂管としてもよい。また、集水桝継手９を透明なものとしてもよい。
【００８３】
また、上記図２２の実施例では、掃除口を有している継手３４を建物２の外周基礎４の外側に露出させて配管接続したが、前記図７に示すものと同様にして、外周基礎４の内側に形成した防湿コンクリート４６の一部に窪み部からなる溝４６１を形成し、この溝４６１を利用して、９０度大曲りＹ継手３４を建物２の外周基礎４の内側に配管接続するようにしてもよい。
【００８４】
さらに、上記集水桝継手として、図２４に示すように、円筒状のます本体９１ａの下端部を縮径して流出側差し口９３を設けたドロップタイプの集水桝継手９Ａを用いることも可能である。このドロップ集水桝継手９Ａを建物２の床下に設置する場合、ます本体９１ａの上下方向の高さの程度にもよるが、ます本体９１ａの一部を床下の地中に溝（ピット）４６１を設け、この溝４６１に設置するようにしてもよい。その際、集水桝継手８Ａの流出側差し口８３と排水主管３の上流側端部とを９０度エルボ継手を介して接続すればよい。そして、排水主管３は地中に埋設された状態、あるいは溝４６１内に設置された状態で外周基礎４を貫通し、あるいは、外周基礎４の下側を迂回して排水桝６と接続される。
【００８５】
図２５は本発明の住宅用排水システムの第３実施例の変形例の要部を示す拡大説明図である。この第３実施例の変形例では、図に示すように、トイレ２１に接続されている排水枝管５１の下流側端部を建物２の長辺側の外周基礎４を貫通して屋外に突出させ、この排水枝管５１の下流側端部を、排水桝６Ａに接続している。すなわち、排水桝６の流出側受け口６２と公共桝の流入側接続部との間を接続している排水主管３Ａの途中に接続した９０度合流タイプの排水桝６Ａの分岐流入側の受け口６３Ａに、排水枝管５１の下流側端部を接続している。これ以外の部分は、上記第３実施例とほぼ同一であるので、同一部分には同一符号を付して説明を省略する。
【００８６】
この第３実施例の変形例の場合、トイレ２１と接続している排水枝管５１の下流側端部を、排水桝６Ａと接続しているので、汚物などを含んだトイレの汚水は別系統にて排水主管３Ａに排水されることになり、集水桝継手９内に流れ込むトイレ２１以外の各排水設備２２〜２５からの排水の排水特性はなんら影響を受けない。
【００８７】
なお、前記第３実施例では、各排水設備２１〜２５からの排水を各排水枝管５１を通じて集水桝継手９に独立して合流させるようにしたが、たとえば図２６に示すように、トイレ２１からの排水と洗面所２２からの排水を合流させて１本の排水枝管５１を通じて集水桝継手９に排水するようにしてもよい。
【００８８】
また、図２７に示すように、洗面所２２と洗濯機２３からの排水を合流させて１本の排水枝管５１を通じて集水桝継手９に排水するようにしてもよい。
【００８９】
以上、本発明を実施例により説明したが、本発明は上記実施例に限定されるものではなく、本発明の要旨を逸脱しない範囲の設計変更等があっても本発明に含まれるのは勿論である。例えば、排水主管（排水管）はポリエチレン管などからなり、ゆるやかに屈曲して配管してもよい。
【００９０】
【発明の効果】
請求項１記載の住宅用排水システムは、複数の排水設備からの排水枝管を、建物の床下にて集合して排水管により建物の外周基礎の外側に導出するから、床下に露出配管が可能になり、埋設工事を大幅削減でき、配管の維持管理（点検、清掃）が容易になり、配管の更新も容易であり、配管への勾配の形成も容易である。また、外周基礎の強度の低下がない。しかも、建物の外周基礎の外側の排水桝の数が少なくてすみ、材料費、施工費が安くなり、点検作業する箇所が少なくなり、狭小な宅地であっても排水配管が可能になる。
【００９１】
また、上記建物の外周基礎を貫通する手前側に位置している排水管の下流側端部のみが床下地面に設けられた溝に設置されているから、更に床下空間の高低差が取れて排水勾配の形成が容易にできる。
【００９２】
請求項２記載の住宅用排水システムは、上記請求項１の効果に加えて、排水主管は建物の外周基礎の内側に沿って配管されているので、掘削工事などの土工費用を削減でき、従来のように、建物の外周基礎の外側の宅地内に排水主管や多数の排水桝を埋設する必要がないので、狭小な宅地であっても、宅地を有効に活用できる。
【００９３】
請求項３記載の住宅用排水システムは、上記請求項１の効果に加えて、ヘッダー継手の点検、補修をでき、しかも、ヘッダー継手により、配管工事費用を削減することができる。また、ヘッダー継手の設置場所が決まることによって、配管ルートが明確になり、プレハブ配管が可能となり、良好な品質の施工ができる。
【００９４】
請求項４記載の住宅用排水システムは、上記請求項１の効果に加えて、集水桝継手により各種排水設備との間の配管接続を行え、配管工事費用を削減することができる。また、集水桝継手の設置場所が決まることによって、配管ルートが明確になり、プレハブ配管が可能となり、良好な品質の施工ができる。
【図面の簡単な説明】
【図１】本発明の住宅用排水システムの第１実施例を示す模式説明図である。
【図２】図１の要部を示す横断面図である。
【図３】図２における排水主管の支持構造を示す縦断面図である。
【図４】排水主管の支持構造の他の例を示す縦断面図である。
【図５】継手の配管位置固定手段を示す断面図である。
【図６】建物の外周基礎から外側への排水管の導出部の断面図である。
【図７】建物の外周基礎から外側への排水管の導出部の他の例の断面図である。
【図８】排水管の点検部を示す断面図である。
【図９】排水管の点検部を示す断面図である。
【図１０】排水管の点検部を示す断面図である。
【図１１】排水管の点検部の他の例を示す斜視図である。
【図１２】排水管の点検部の他の例を示す斜視図である。
【図１３】第１実施例の変形例の説明図である。
【図１４】第１実施例の変形例の縦断面図である。
【図１５】第１実施例の変形例の縦断面図である。
【図１６】本発明の住宅用排水システムの第２実施例を示す模式説明図である。
【図１７】図１６の要部を示す横断面図である。
【図１８】ヘッダー継手の平面図である。
【図１９】ヘッダー継手の設置状態を示す断面図である。
【図２０】第２実施例の変形例を示す横断面図である。
【図２１】本発明の住宅用排水システムの第３実施例を示す模式説明図である。
【図２２】図２１の要部を示す横断面図である。
【図２３】集水桝継手の説明図である。
【図２４】集水桝継手の説明図である。
【図２５】第２実施例の変形例を示す横断面図である。
【図２６】第２実施例の変形例を示す模式説明図である。
【図２７】第２実施例の変形例を示す模式説明図である。
【図２８】従来の住宅用排水システムの模式説明図である。
【符号の説明】
２  建物
２１  トイレ（排水設備）
２２  洗面所（排水設備）
２３  洗濯機（排水設備）
２４  浴室（排水設備）
２５  台所（排水設備）
３  排水主管（排水管）
３１  継手
３１２  配管位置固定手段
４  外周基礎
４６１  溝
５１  排水枝管
６  排水桝
７  公共桝
８  ヘッダー継手
９  集水桝継手
【図１】
0004376406.tif 000002
【図２】
0004376406.tif 000003
【図３】
0004376406.tif 000004
【図４】
0004376406.tif 000005
【図５】
0004376406.tif 000006
【図６】
0004376406.tif 000007
【図７】
0004376406.tif 000008
【図８】
0004376406.tif 000009
【図９】
0004376406.tif 000010
【図１０】
0004376406.tif 000011
【図１１】
0004376406.tif 000012
【図１２】
0004376406.tif 000013
【図１３】
0004376406.tif 000014
【図１４】
0004376406.tif 000015
【図１５】
0004376406.tif 000016
【図１６】
0004376406.tif 000017
【図１７】
0004376406.tif 000018
【図１８】
0004376406.tif 000019
【図１９】
0004376406.tif 000020
【図２０】
0004376406.tif 000021
【図２１】
0004376406.tif 000022
【図２２】
0004376406.tif 000023
【図２３】
0004376406.tif 000024
【図２４】
0004376406.tif 000025
【図２５】
0004376406.tif 000026
【図２６】
0004376406.tif 000027
【図２７】
0004376406.tif 000028
【図２８】
0004376406.tif 000029